(57)【要約】  【課題】  自動販売機の販売対象である商品の企画変更や前記商品を新しいものに入れ替える際などに、ダミー体の胴体部の印刷内容の変更のみで対応できる場合、その対応を容易にかつ低コストで行うことができる自動販売機用のダミー体を提供すること。  【解決手段】  半割り状のダミー体本体１の胴体部８前面にシート状体７を沿わせて配置する自動販売機用のダミー体であって、前記ダミー体本体１の胴体部８の左右端部に対してシート状体７の左右端部が着脱自在となるように構成してある。  【選択図】  図１
0003108117.tif 000002
【実用新案登録請求の範囲】
【請求項１】
半割り状のダミー体本体の胴体部前面にシート状体を沿わせて配置する自動販売機用のダミー体であって、前記ダミー体本体の胴体部の左右端部に対してシート状体の左右端部が着脱自在となるように構成してあることを特徴とする自動販売機用のダミー体。
【請求項２】
半割り状のダミー体本体の胴体部前面にシート状体を沿わせて配置する自動販売機用のダミー体であって、前記ダミー体本体の胴体部の左右端部とシート状体の左右端部とが重なった部分を、横断面がほぼＵ字形状の部分を備えたクリップ部材により挟むように構成してあることを特徴とする自動販売機用のダミー体。
【請求項３】
半割り状のダミー体本体の胴体部前面にシート状体を沿わせて配置する自動販売機用のダミー体であって、前記ダミー体本体の胴体部の左右端部に表側または裏側から見て凹んだ被係止部が形成されている一方、前記シート状体に、前記被係止部に係止する係止部が設けられていることを特徴とする自動販売機用のダミー体。
【請求項４】
半割り状のダミー体本体の胴体部前面にシート状体を沿わせて配置する自動販売機用のダミー体であって、前記ダミー体本体の胴体部の左右端部に表側から見て凹んだ被係止部が形成されている一方、前記シート状体の裏側に、前記被係止部に係止する係止部を有する取付用部材が固定されていることを特徴とする自動販売機用のダミー体。
【請求項５】
半割り状のダミー体本体と、このダミー体本体の胴体部に固定されるシート状体とを備えた自動販売機用のダミー体であって、前記シート状体が、前記ダミー体本体の胴体部前面に沿うように配置される中央部と、この中央部の左右に連設され、胴体部の裏面側へ折り返されたウイング部とを有し、前記ウイング部の一部を、ダミー体本体の胴体部の左右端部に設けたスリットに挿入することにより、シート状体をダミー体本体の胴体部に固定するように構成してあることを特徴とする自動販売機用のダミー体。
【考案の詳細な説明】
【技術分野】
【０００１】
本考案は、例えば、ボトル缶や直胴缶（ストレート缶）等の胴体部に直胴部分（横断面の寸法が同一のまま上下に連なる部分）を有する缶に収容され、自動販売機で販売される商品（ジュースやコーヒー、ビール等）を展示するための自動販売機用のダミー体に関する。
【背景技術】
【０００２】
缶入りのジュース、コーヒー、ビールなどの商品を販売するための自動販売機には、それらの商品のダミー体を展示するための展示室が設けられている。これらのダミー体は商品をより魅力あるものとして宣伝するためのものであると共に、商品の入替えに伴って容易に交換可能であることが必要である。
【０００３】
そこで、従来の自動販売機用のダミー体として、缶タイプの飲料容器を縦に略半分に割った形状（後部を切り落とした形状）のハーフのダミー体がある。このダミー体は、自動販売機の展示室の架台部に形成されたダミー体取付孔に対して着脱を容易にし、併せて大量生産によるコストダウンまで可能にするために考え出されたもので、壜の形状、図柄（ラベル、キャップを含む。）が予め印刷されたシートを真空成形または圧空成形によって成形することができるとともに、それによってトムソン法により成形品の打ち抜きが可能であるので、壜タイプの容器のような複雑な形状のものでも簡単に、かつ能率良く生産することができる。
【０００４】
上記の構成からなるダミー体は、その左右側面部分を内側に押圧して変形させ、下部に設けられた凹溝形状の係止部をダミー体取付孔の周縁部に嵌入させることで、前記係止部は、ダミー体取付孔に挿抜可能で弾性的に嵌入保持される。
【考案の開示】
【考案が解決しようとする課題】
【０００５】
ところで、前記缶が胴体部に直胴部分を有し、この直胴部分の印刷内容のみの変更で目的が達成できる場合といえども、従来品は、所望の印刷を施したシートを前記直胴部分に接着剤等を用いて接着するか、または、新たにダミー体全体を用意することで対応していた。そのために、直胴部分にシートを接着する前者の方法では、接着作業に手間がかかるとともに、直胴部分に接着したシートを剥がすことができず、後者同様、結局は新たにダミー体全体を用意する必要があり、コストがかかるという問題があった。
【０００６】
この考案は上述の事柄に留意してなされたもので、その目的は、自動販売機の販売対象である商品の企画変更や前記商品を新しいものに入れ替える際などに、ダミー体の胴体部の印刷内容の変更のみで対応できる場合、その対応を容易にかつ低コストで行うことができる自動販売機用のダミー体を提供することである。
【課題を解決するための手段】
【０００７】
上記目的を達成するために、本考案の自動販売機用のダミー体は、半割り状のダミー体本体の胴体部前面にシート状体を沿わせて配置する自動販売機用のダミー体であって、前記ダミー体本体の胴体部の左右端部に対してシート状体の左右端部が着脱自在となるように構成してあることを特徴としている（請求項１）。
【０００８】
より具体的には、本考案の自動販売機用のダミー体は、半割り状のダミー体本体の胴体部前面にシート状体を沿わせて配置する自動販売機用のダミー体であって、前記ダミー体本体の胴体部の左右端部とシート状体の左右端部とが重なった部分を、横断面がほぼＵ字形状の部分を備えたクリップ部材により挟むように構成してある（請求項２）。
【０００９】
また、本考案の自動販売機用のダミー体は、半割り状のダミー体本体の胴体部前面にシート状体を沿わせて配置する自動販売機用のダミー体であって、前記ダミー体本体の胴体部の左右端部に表側または裏側から見て凹んだ被係止部が形成されている一方、前記シート状体に、前記被係止部に係止する係止部が設けられていてもよい（請求項３）。
【００１０】
また、本考案の自動販売機用のダミー体は、半割り状のダミー体本体の胴体部前面にシート状体を沿わせて配置する自動販売機用のダミー体であって、前記ダミー体本体の胴体部の左右端部に表側から見て凹んだ被係止部が形成されている一方、前記シート状体の裏側に、前記被係止部に係止する係止部を有する取付用部材が固定されていてもよい（請求項４）。
【００１１】
また、本考案の自動販売機用のダミー体は、半割り状のダミー体本体と、このダミー体本体の胴体部に固定されるシート状体とを備えた自動販売機用のダミー体であって、前記シート状体が、前記ダミー体本体の胴体部前面に沿うように配置される中央部と、この中央部の左右に連設され、胴体部の裏面側へ折り返されたウイング部とを有し、前記ウイング部の一部を、ダミー体本体の胴体部の左右端部に設けたスリットに挿入することにより、シート状体をダミー体本体の胴体部に固定するように構成してあってもよい（請求項５）。
【考案の効果】
【００１２】
請求項１〜５に係る本考案によれば、胴体部の印刷内容の変更を容易にかつ低コストで行うことができる自動販売機用のダミー体が得られる。すなわち、本考案で用いるシート状体を胴体部に着脱自在としてあるので、前記シート状体に所望の印刷を施し、これを透明ないしは半透明の胴体部に装着することで、胴体部の印刷内容の変更を容易に行うことができる。また、前記シート状体は低価格であるので、これに伴い、前記印刷内容の変更を低コストで行うことができる。
【００１３】
請求項２に係る考案では、クリップ部材とシート状体とを用意するだけでよく、既存のダミー体本体をそのまま有効に利用することができる。
【００１４】
請求項３に係る考案では、ダミー体本体の胴体部に対するシート状体の装着を両者だけで行うことができ、装着のために他の部材を必要としないので、部材点数を少なくすることができる。
【００１５】
請求項４に係る考案では、全体にわたって凹凸のないシート状体を用意し、このシート状体の後面に、胴体部の被係止部に係止する係止部を有する取付用部材を固定することで、前記シート状体をダミー体本体の胴体部に装着することができるように構成してある。すなわち、請求項４に係る考案では、凹凸のない前記シート状体に所望の印刷を施し、このシート状体により取付用部材に形成された凹凸を覆うことができるので、見栄えをより良くすることができる。
【００１６】
請求項５に係る考案では、ダミー体本体の胴体部に対するシート状体の装着を両者だけで行うことができ、装着のために他の部材を必要としないので、部材点数を少なくすることができる。また、シート状体の中央部により、ダミー体本体のスリットとシート状体のウイング部との係合部分を覆い隠すことができるので、シート状体の中央部を全体にわたって凹凸がないように構成し、このシート状体に所望の印刷を施せば、非常に見栄えの良いダミー体が得られる。
【考案を実施するための最良の形態】
【００１７】
図１および図２は、本考案の第１の実施の形態に係る自動販売機用のダミー体を示す。図１において、１は半割り状（この実施の形態ではボトル缶タイプの飲料容器を縦に略半分に割り、後部側を切り落とした形状）のダミー体本体である。このダミー体本体１の下部には、自動販売機の展示部（図示していない）に設けられた既設の架台部２に着脱自在に取り付けることができるように、上側から順に、溝部３と、挿入部４とが設けられている。
【００１８】
すなわち、図１において、５は架台部２に形成されている取付孔であり、この取付孔５は、既設のもので、この実施の形態のダミー体以外のダミー体（例えばほぼ円筒状のダミー体）も取り付けできるように構成されている。詳しくは、取付孔５はほぼ円形状をしており、その周縁に沿って、一対の切欠部分５ａと二対の切り込み５ｂ，５ｃとが形成されている。前記切欠部分５ａは平面視コ字型をなす。また、切り込み５ｂ，５ｃどうしは、中心角で１８０°の間隔を有して配置されている。
【００１９】
そして、前記ダミー体本体１の下部に設けられた溝部３は取付孔５の周縁部に係合し、挿入部４は取付孔５の下方に挿入される。また、前記ダミー体本体１の左右両端部分には、側方に突出する突出部分６がそれぞれ溝部３および挿入部４にわたって設けられている。なお、溝部３の外径は取付孔５の内径以上となるように構成されている。また、前記挿入部４の外周部分は下側ほど細くなるテーパ状に形成されており、さらに、挿入部４の底部分は、後述する蛍光灯１０の光を透過させるために、透明または半透明に形成されている。
【００２０】
図１において、７は前記ダミー体本体１の胴体部８前面に沿うように配置されるシート状体である。前記シート状体７は、ほぼ平面状のままで、商品アピール用の印刷が施されたフィルムであり、例えばポリプロピレン、ポリカーボネイト、ポリエチレンテレフタレート等およびそれらの再生品など、耐熱性、耐候性に優れた素材からなる。
【００２１】
また、図１および図２において、９は前記ダミー体本体１の胴体部８の左右端部とシート状体７の左右端部とが重なった部分を挟んで固定するクリップ部材である。前記クリップ部材９は、適宜の弾性を有する合成樹脂製または金属製の部材で、横断面がほぼＵ字形状となっており、その先端部は外向きに開いているほうが好ましいが、これに限定されるものではない。
【００２２】
図１において、１０はダミー体照明用の棒状の蛍光灯である。
【００２３】
上記の構成からなるダミー体は、ダミー体本体１の胴体部８前面に沿わせてシート状体７を配置した後、クリップ部材９により、胴体部８の左右端部とシート状体７の左右端部とが重なった部分を挟むことにより組み立てることができる。
【００２４】
そして、上記ダミー体を前記取付孔５に取り付けるには、ダミー体下部の左右両端を挟んで内側に撓ませ、これに伴い細くなった前記挿入部４を取付孔５内に挿入し、その後、ダミー体下部の左右両端に対する押圧を解除するだけでよい。上述したように、挿入部４は下側ほど細くなるテーパ状になっているので、取付孔５内にスムーズに挿入されることとなる。そして、前記押圧の解除後、変形していたダミー体自身が有する復元力の働きにより、取付孔５の周縁に溝部３が当接し、ダミー体が架台部２に取り付けられた状態となる。なお、挿入部４を取付孔５内に挿入する際には、二つの前記突出部分６がそれぞれ取付孔５の切欠部分５ａ内におさまるようにダミー体の位置や向きを調節する。
【００２５】
上記のように前記取付孔５にダミー体を取り付けると、挿入部４の上部分と前記胴体部８下面とで取付孔５の周縁を挟む状態となり、これに伴い、ダミー体が安定した状態で直立することとなる。また、前記一対の切欠部分５ａのそれぞれに前記突出部分６を係止することにより、ダミー体がその軸まわりに回転するのが防止される。さらに、前記溝部３の外径は前記取付孔５の内径以上となっているので、取付孔５の縁に当接しさらに左右方向に広がろうとする前記溝部３により、ダミー体は常時径方向外側に向かって広がるように付勢された状態となり、これによっても、ダミー体が安定した状態で直立することになる。
【００２６】
さらに、ダミー体を取付孔５に取り付けるときに、一対の切欠部分５ａに対応する位置に設けられた突出部分６を目安として用いることができるので、ダミー体をより容易に架台部２に取り付けることができる。
【００２７】
そして、上記のように取り付けられたダミー体は、取り付け時と反対の手順で架台部２から取り外すことができる。
【００２８】
なお、上記第１の実施の形態では、図１に示すように、クリップ部材９の長さを胴体部８の上下の長さとほぼ同じとしているが、クリップ部材９を適宜に短くし、胴体部８の左右端部とシート状体７の左右端部とが重なった部分を複数のクリップ部材９で固定するようにしてもよい。
【００２９】
図３は、本考案の第２の実施の形態に係る自動販売機用のダミー体を示す。上記第１の実施の形態に係るダミー体では、クリップ部材９を用いていたが、第２の実施の形態に係るダミー体は、クリップ部材９を用いず、ダミー体本体１にシート状体７を直接取り付けるように構成されたものである。すなわち、第２の実施の形態に係るダミー体では、図３に示すように、ダミー体本体１の胴体部８の左右端部に、表側から見て凹み上下方向に延びる被係止部１１が形成されている一方、前記シート状体７の左右端部に、表側から見て凹み上下方向に延びるとともに前記被係止部１１に係止する係止部１２が設けられている。
【００３０】
前記被係止部１１は、横断面ほぼコ字型をしており、開口側ほぼ若干狭まるように形成されている。また、係止部１２は、被係止部１１と同じく横断面ほぼコ字型をしており、被係止部１１の外面に沿うように形成されている。
【００３１】
なお、第２の実施の形態に係るダミー体の他の構成は、第１の実施の形態に係るダミー体と同じであるので、それらの説明は省略する。
【００３２】
上記の構成からなるダミー体では、ダミー体本体１の二つの被係止部１１にシート状体７の係止部１２を嵌め込んで係止させるだけで、ダミー体本体１にシート状体７を取り付けることができる。
【００３３】
ここで、上記第２の実施の形態では、前記シート状体７の左右端部に、表側から見て凹み上下方向に延びるとともに前記被係止部１１に係止する係止部１２を設けているが、このような構成に限られず、例えば、図４（Ａ）に示すように、シート状体７の左右端をＬ字状に折り曲げた形状とすることで、前記係止部１２を形成してもよい。
【００３４】
また、上記第２の実施の形態において、被係止部１１および係止部１２は、横断面ほぼコ字型に限られず、例えば、図４（Ｂ）に示すように、それぞれ横断面ほぼＣ字型であってもよい。
【００３５】
なお、上記第２の実施の形態では、図３に示すように、被係止部１１の長さを胴体部８の上下の長さとほぼ同じとしているが、被係止部１１を適宜に短くするとともに被係止部１１に係止する係止部１２もそれに合わせて適宜に短くし、胴体部８の左右端部とシート状体７の左右端部とが重なった部分を、複数の被係止部１１および係止部１２の係止により固定するようにしてもよい。
【００３６】
さらに、上記第２の実施の形態では、シート状体７の左右端部に被係止部１１を設けているが、このような構成に代えて、例えば、図５に示すように、平板状のシート状体７の左右端部の裏側（後面）に、前記被係止部１１に係止する係止部１２と、この係止部１２の左右に設けられたフランジ部１２Ａ，１２Ａとを有する取付用部材７Ａを固定してもよい。二つの取付用部材７Ａ，７Ａはそれぞれ、例えば接着剤７Ｂを用いてシート状体７に固定される。上記のように構成した場合には、最も表側に位置するシート状体７の全体にわたって凹凸が形成されないので、ダミー体の見栄えをより良くすることができる。
【００３７】
図６は、本考案の第３の実施の形態に係る自動販売機用のダミー体を示す。この第３の実施の形態に係るダミー体は、第２の実施の形態に係るダミー体と同様に、クリップ部材９を用いず、ダミー体本体１にシート状体７を直接取り付けるように構成されたものである。詳しくは、第３の実施の形態に係るダミー体では、図６に示すように、前記シート状体７が、前記ダミー体本体１の胴体部８前面に沿うように配置される中央部７ａと、この中央部７ａの左右に連設され、胴体部８の裏面側へ折り返されたウイング部７ｂとを有し、前記ウイング部７ｂの端部に二つずつ設けられた計四つの突出部分７ｃを、ダミー体本体１の胴体部８の左右端部に設けた計四つのスリット１４に挿入することにより、シート状体７をダミー体本体１の胴体部８に固定するように構成されている。
【００３８】
前記スリット１４は胴体部８の左右端部の上下にそれぞれ設けられており、シート状体７の突出部分７ｃは各スリット１４に対応する位置に設けられている。
【００３９】
なお、第３の実施の形態に係るダミー体の他の構成は、第１の実施の形態に係るダミー体と同じであるので、それらの説明は省略する。
【００４０】
上記の構成からなるダミー体では、ダミー体本体１の各スリット１４にシート状体７の突出部分７ｃを挿入した状態とするだけで、ダミー体本体１にシート状体７を取り付けることができる。
【００４１】
なお、上記第３の実施の形態に係るダミー体では、図６に示すように、胴体部８の左右端部の上下に一つずつスリット１４を設けているが、このような構成に限られず、スリット１４を、胴体部８の左右端部にそれぞれ一つのみ設けてもよいし、三つ以上設けてもよい。
【００４２】
ここで、上記第１〜第３の実施の形態に係るダミー体によれば、以下のような優れた効果も得られる。すなわち、半割り状のダミー体を前記取付孔５に取り付けるには、ダミー体下部の左右両端を挟んで内側に撓ませ、これに伴い細くなった前記挿入部４を取付孔５内に挿入する。しかし、従来のダミー体では、その下部の左右両端を挟んで内側に撓ませた際に、図７（Ａ）に示すように、胴体部８のみが内側に撓み、挿入部４が上述したようには撓まず、従って、取付孔５への挿入操作が困難となるおそれがあった。これに対して、上記第１〜第３の実施の形態に係るダミー体によれば、胴体部８の左右端部にシート状体７の左右端部を取り付けることにより、胴体部８の左右端部の強度（剛性）を高めているので、その下部の左右両端を挟んで内側に撓ませた際に、図７（Ｂ）に示すように、挿入部４が細くなるように撓み、取付孔５への挿入操作を非常に容易に行うことができる。
【００４３】
なお、上記各実施の形態では、ダミー体がボトル缶タイプの商品に対応する形状をしていたが、ボトル缶タイプではなく、例えば直胴缶（ストレート缶）タイプの商品に対応する形状をしていてもよい。すなわち、前記ダミー体は、直胴部分を有していることが望ましい。
【００４４】
また、上記各実施の形態では、蛍光灯１０を架台部２の下方に配置し、ダミー体をその下方からライトアップしていたが、ダミー体をその後方からライトアップするように構成してもよい。
【００４５】
さらに、上述したように、蛍光灯１０を架台部２の下方に配置し、ダミー体をその下方からライトアップする場合、ダミー体本体１の挿入部４の底部分を設けないようにしてもよい。このように構成すれば、蛍光灯１０の光がより効率よくダミー体に照射されることになる。
【００４６】
また、上記第２の実施の形態では、図３に示すように、胴体部８の一部を表側から見て凹ませて被係止部１１を設けているが、このような構成に限られず、例えば、胴体部８の一部を裏側から見て凹ませて被係止部１１を設けてもよい。この場合、前記被係止部１１に係止する係止部１２もシート状体７の一部を裏側から見て凹ませて形成すればよい。
【図面の簡単な説明】
【００４７】
【図１】本考案の第１の実施の形態に係る自動販売機用のダミー体の構成を概略的に示す分解斜視図である。
【図２】前記ダミー体の要部の構成を概略的に示す横断端面図である。
【図３】本考案の第２の実施の形態に係る自動販売機用のダミー体の構成を概略的に示す分解斜視図である。
【図４】（Ａ）および（Ｂ）は、上記第２の実施の形態に係るダミー体の変形例および他の変形例の要部の構成を概略的に示す横断端面図である。
【図５】上記第２の実施の形態に係る自動販売機用のダミー体のさらに他の変形例の構成を概略的に示す分解斜視図である。
【図６】本考案の第３の実施の形態に係る自動販売機用のダミー体の構成を概略的に示す分解斜視図である。
【図７】（Ａ）は、従来のダミー体の撓み方を概略的に示す斜視図、（Ｂ）は、本考案のダミー体の撓み方を概略的に示す斜視図である。
【符号の説明】
【００４８】
１  ダミー体本体
７  シート状体
８  胴体部
９  クリップ部材
【図１】
0003108117.tif 000003
【図２】
0003108117.tif 000004
【図３】
0003108117.tif 000005
【図４】
0003108117.tif 000006
【図５】
0003108117.tif 000007
【図６】
0003108117.tif 000008
【図７】
0003108117.tif 000009